(57)【要約】  外部泌尿器カテーテルが、シース部分（１）と、コネクタを受けるための先端部分（２）とを備える。先端部分（２）はシース部分（１）の一方の末端に取り付けられており、この先端部分（２）の把持とその後の案内とを行うことが意図されている把持区域（４）を備える。この把持区域（４）は、例えばリブまたは溝の形状である、摩擦増大手段（４ｂ）を備える。【選択図】図１
2008511360.tif 000002
【特許請求の範囲】
【請求項１】
縦軸線を有する外部泌尿器カテーテルであって、シース部分（１）と、コネクタを受けるための先端部分（２）とを備え、前記先端部分（２）は、前記シース部分（１）の一方の末端に取り付けられ、前記先端部分（２）の把持とその後の案内とを行うことが意図されている把持区域（４）を有する外部泌尿器カテーテルにおいて、前記把持区域（４）は摩擦増大手段（４ｂ）を有することを特徴とする外部泌尿器カテーテル。
【請求項２】
前記摩擦増大手段は突起部の形状である請求項１に記載の外部泌尿器カテーテル。
【請求項３】
前記摩擦増大手段はリブまたは溝の形状である請求項２に記載の外部泌尿器カテーテル。
【請求項４】
前記リブまたは溝は、前記縦軸線の周りに延びる円周方向のリブまたは溝の形状である請求項３に記載の外部泌尿器カテーテル。
【請求項５】
前記摩擦増大手段は起伏の形状である請求項１に記載の外部泌尿器カテーテル。
【請求項６】
前記摩擦増大手段は表面処理によって実現されている請求項１に記載の外部泌尿器カテーテル。
【請求項７】
前記表面処理は被覆の形態である請求項６に記載の外部泌尿器カテーテル。
【請求項８】
前記カテーテルと前記摩擦増大手段は射出成形されている請求項１から７のいずれかに記載の外部泌尿器カテーテル。
【請求項９】
前記カテーテルと前記摩擦増大手段は一体に射出成形されている請求項８に記載の外部泌尿器カテーテル。
【請求項１０】
前記泌尿器カテーテルはシリコーンで作られている請求項１から９のいずれかに記載の外部泌尿器カテーテル。
【請求項１１】
コネクタを受けるための先端部分（２）を製造する方法であって、外部泌尿器カテーテルの一部分としての前記先端部分（２）は、前記先端部分（２）の把持とその後の案内とを行うことが意図されている把持区域（４）を有し、前記把持区域（４）は摩擦増大手段（４ｂ）を有し、前記方法は、前記摩擦増大手段を製造するために必要な突出部または凹みを有している空洞の中に前記カテーテルの前記先端部分（４）を射出成形する段階を含む方法。
【請求項１２】
コネクタを受けるための先端部分（２）を製造する方法であって、外部泌尿器カテーテルの一部分としての前記先端部分（２）は、前記先端部分（２）の把持とその後の案内とを行うことが意図されている把持区域（４）を有し、前記把持区域（４）は摩擦増大手段（４ｂ）を有し、前記方法は、前記摩擦増大手段を製造するために前記カテーテルの前記先端部分（４）を表面処理する段階を含む方法。
【請求項１３】
コネクタを受けるための先端部分（２）を製造する方法であって、外部泌尿器カテーテルの一部分としての前記先端部分（２）は、前記先端部分（２）の把持とその後の案内とを行うことが意図されている把持区域（４）を有し、前記把持区域（４）は摩擦増大手段（４ｂ）を有し、前記方法は、前記摩擦増大手段を製造するために前記カテーテルの前記先端部分（４）を被覆する段階を含む方法。
【発明の詳細な説明】
【技術分野】
【０００１】
本発明は、縦軸線を有する外部泌尿器カテーテルに関し、上記カテーテルは、シース部分と、コネクタを受けるための先端部分とを備え、上記先端部分は、上記シース部分の一方の末端に取り付けられており、上記先端部分の把持とその後の案内とを行うことが意図されている把持区域を備える。
【背景技術】
【０００２】
序論で定義されている外部泌尿器カテーテルは当業で公知であり、例えば、本出願人の国際公開出願ＷＯ  ２００４／００４７９６  Ａ１およびＷＯ  ９１／１７７２８に説明されている。外部泌尿器カテーテルは、従来において、男性の尿失禁を補助するための、および、尿道疾患の処置と手術とに関連して病院で使用するための泌尿器カテーテル装置において使用される。このような外部泌尿器カテーテルは、陰茎の軸部分を取り囲むシース部分すなわち本体部分と、例えばベッドまたはユーザの脚に締め付け固定されている蓄尿袋すなわち集尿バッグにホースを経由して連結されている比較的短い排出管が備えられている先端部分とを備える。あるいは、この代わりに、外部泌尿器カテーテル、あるいは、コンドームカテーテルが、陰茎上に外部から配置され、そして、包皮に対するコロナウリシースシーリング（ｃｏｒｏｎａ  ｕｒｉｓｈｅａｔｈ  ｓｅａｌｉｎｇ）であるだろう。
【０００３】
先端部分と集尿バッグとの連結が、従来においては、円錐形のホースコネクタをそのカテーテルの先端部分の可とう性の先端コネクタの中に押し込むことによって行われる。偶発的に分離することがない安全な連結を実現するためには、先端コネクタとホースコネクタとが大きな力で互いに押し付け合わされなければならない。これらのコネクタを引っ張って互いから分離させるためには、同様に大きな力を要する。
【０００４】
一般的に、ホースコネクタは、ユーザによって容易に操作されることが可能な比較的に硬質の要素である。しかし、先端部分の柔軟で滑りやすい材料が、これら２つの部品を互いに連結するかまたは取り外すために２つの強力な手が必要とされるということを結果的に生じさせる。したがって、身体障害のあるユーザは、泌尿器カテーテルの装着を行うことが可能であるために援助を必要とすることが極めて多い。こうした援助は高コストであり、および、大半のユーザが泌尿器カテーテルの装着を内密の事柄と見なしているので、こうしたユーザはこうした援助を程度の差こそあれ不快なものとみなす。さらに、医療スタッフまたは介護人は、外部泌尿器カテーテルを操作する時に手袋を着用することを求められる。こうした手袋は、その泌尿器カテーテルの材料に類似した柔軟で滑りやすい材料で作られており、このことがこの問題をさらに悪化させる。
【０００５】
上述の問題点に対する解決策として、固着装置に基づいている幾つかの連結が示唆されている。しかし、こうした装置は大きく、不快であり、そして、操作が容易ではない。
【発明の開示】
【発明が解決しようとする課題】
【０００６】
したがって、上述の問題点を克服または軽減する、序論で言及されたタイプの外部泌尿器カテーテルを提供することが、本発明の目的である。
【課題を解決するための手段】
【０００７】
この目的を達成するために、外部泌尿器カテーテルは、上記把持区域が摩擦増大手段を備えることを特徴とする。
【０００８】
こうした摩擦増大手段によって、先端部分を把持して操作することが、著しくより容易にされる。さらに、先端部分とコネクタとの連結と取り外しとがより容易に行われる。したがって、身体障害のあるユーザでさえ、医療スタッフからの援助を必要とせずに、本発明による外部泌尿器カテーテルの装着に対処することが可能である。この結果として、ユーザは泌尿器カテーテルのより快適な装着と取り外しとを経験し、および、医療スタッフを節約することが可能である。
【０００９】
さらに、摩擦増大手段が外部泌尿器カテーテルの生産中に容易に製造されることが可能なので、上記の利点が、少ない生産コストで、または、追加の生産コストなしに、得られるだろう。
【００１０】
本発明の有利な実施態様では、上記摩擦増大手段はリブまたは溝の形態である。リブまたは溝は少ない費用で製造され、先端部分の把持の大きな改善を実現するだろう。上記リブまたは溝は、上記縦軸線の周りに延びる円周方向のリブまたは溝の形態であることが好ましい。このことが、先端部分とホースとの連結または取り外しの時に適正な方向の摩擦を実現する。
【００１１】
あるいは、この代わりに、上記摩擦増大手段は、起伏または表面処理の形態であってもよい。この表面処理は被覆の形態であってもよい。
【００１２】
リブ、溝、起伏、または、把持区域における該当する他のいかなる高さ変化のような摩擦増大手段が、一般的に、突起部と呼ばれることが可能であるということが理解されるべきである。
【００１３】
さらに、本発明は、コネクタを受けるための先端部分を製造する方法であって、外部泌尿器カテーテルの一部分としての上記先端部分は、上記先端部分の把持とその後の案内とを行うことが意図されている把持区域を有し、上記把持区域は摩擦増大手段を有し、この方法は、摩擦増大手段を製造するために必要な突出部または凹みを有している空洞の中にカテーテルの先端部分を射出成形する段階を含む方法を開示している。有利であることに、射出成形は、先端部分が、通常は外部泌尿器カテーテル全体と共に、そこに設けられている摩擦増大手段と同時に形成される、単純な一段階の工程を実現する。射出成形の代わりに、先端部分または外部泌尿器カテーテル全体がブロー成形されることが可能である。
【００１４】
別の実施態様では、コネクタを受けるための先端部分を製造する方法であって、外部泌尿器カテーテルの一部分としての上記先端部分は、上記先端部分の把持とその後の案内とを行うことが意図されている把持区域を有し、上記把持区域は摩擦増大手段を有し、この方法は、摩擦増大手段を製造するために、カテーテルの先端部分を表面処理する段階を含む。
【００１５】
さらに別の実施態様が、コネクタを受けるための先端部分を製造する方法であって、外部泌尿器カテーテルの一部分としての上記先端部分は、上記先端部分の把持とその後の案内とを行うことが意図されている把持区域を有し、上記把持区域は摩擦増大手段を有し、この方法は、摩擦増大手段を製造するために、カテーテルの先端部分を被覆する段階を含む。
【００１６】
以下では、本発明が、概略的な図面を参照して、実施形態を例として詳細に説明されるだろう。
【発明を実施するための最良の形態】
【００１７】
図１−６は、縦軸線を有する本発明による外部泌尿器カテーテルの実施形態を示す。一般的に、このカテーテルは、ユーザ（図示されていない）の陰茎上に装着するための円筒形のシース部分１と、集尿バッグ等（図示されていない）にこの泌尿器カテーテルを連結するための先端部分２とを備える。この先端部分２は、シース部分１の上端部に取り付けられている。図示されている実施形態では、先端部分２は、可とう性のベローズ部分３と、集尿バッグに至るホースに外部泌尿器カテーテルを連結するための円筒形の先端コネクタ４とを備える。
【００１８】
ベローズ部分３は、任意に圧縮されていてもよい４つの環状部分を備え、これによって、先端コネクタ４は、外部泌尿器カテーテルの縦軸線に対して、約９０°よりも小さい任意の角度に方向付けられることが可能である。このことが、集尿バッグに達するホースの閉塞を防止し、集尿バッグとは無関係にカテーテルが動くことを可能にする。
【００１９】
先端コネクタ４は、先端部分を手で把持し、その後で、集尿バッグに至るホースのホースコネクタとの連結状態へとその先端部分を案内するための把持区域４ａを備える。ホースコネクタは、例えば、中空の円錐の形状であってよく、このホースコネクタは、先端コネクタ４の円形開口の中に押し込まれる。図示されている実施形態では、把持区域４ａは、先端コネクタ４の両末端の中間の先端コネクタの４の滑らかな部分である。外部泌尿器カテーテルを集尿バッグに連結するために、ユーザは一方の手でホースコネクタを把持し、かつ、他方の手で先端コネクタ４の把持区域４ａを把握する。その次に、そのユーザは、ホースコネクタの円錐部分を先端コネクタ４の中に案内し、そのホースコネクタ円錐部分と先端コネクタとが互いに堅固に把持し合うように押し込む。この把持および案内操作を容易にするために、把持区域４ａの表面上には摩擦増大手段４ｂが配置されている。
【００２０】
図１の実施形態では、摩擦増大手段４ｂは、外部泌尿器カテーテルの縦軸線の周りに円周方向にかつこの縦軸線に対して垂直に延びる６つのリブの形になされている。リブのこの配置が、先端コネクタ４が上記連結操作中に押されることになる方向において大きな摩擦抵抗を生じさせる。しかし、これらのリブは、外部泌尿器カテーテルの縦軸線に対して垂直な方向に対して、ある角度の傾斜をもって配置されてもよく、例えば、図２に示されているように螺旋状に配置されてもよい。さらに、この摩擦増大手段は、図３に示されている溝のような、内向きに突き出る形状であってもよい。
【００２１】
摩擦増大手段は、必ずしもリブまたは溝の形状でなくてもよい。さらに、摩擦増大手段は、図４に示されている半球形の突出部または隆起部のような起伏の形状であってもよい。この起伏は、さらに凹みの形状であってもよく、および、任意の適切な形状と大きさで、かつ、任意の適切な個数で配置されてよい。この起伏は、例えば、均一に分布した、円形、長方形、ピラミッド形の突出部、または、ランダムに分布した隆起部および凹みであってよく、および、この起伏は、これらの組合せであってもよい。
【００２２】
摩擦増大手段は、表面処理の形状であってもよい。図５は、把持区域４ａを覆う被覆の形状の摩擦増大手段を有する、本発明による外部泌尿器カテーテルの実施形態を示す。この被覆は、ゴムのような優れた摩擦属性を有する材料で形成されている。上述の利点は、さらに、図６に示されているように、把持区域４ａの材料に対して直接的に加えられる例えば研磨研削のような他の表面処理によって実現されてもよい。
【００２３】
本発明による外部泌尿器カテーテルは、任意の適切な方法や、好ましくはプラスチック材料、ラテックス、または、シリコーンである任意の適切な材料で製造されることが可能である。このカテーテルの先端部分４は、例えば、図１−４の摩擦増大手段のいずれかを形成するのに必要な突出部または凹みが備えられている空洞の中に、射出成形することによって製造されるだろう。このカテーテルの他の部分は、同様の方法で、または、浸漬または押出し成形プロセスのような他の適切な方法で形成されるだろう。
【００２４】
本発明は、上述の実施形態に限定されるものと見なされるべきでなく、様々な組合せと変更とが、後述の特許請求項の範囲から逸脱することなしに行われてよい。
【図面の簡単な説明】
【００２５】
【図１】図１は、本発明による外部泌尿器カテーテルの第１の実施形態である。
【図２】図２は、本発明による外部泌尿器カテーテルの第２の実施形態である。
【図３】図３は、本発明による外部泌尿器カテーテルの第３の実施形態である。
【図４】図４は、本発明による外部泌尿器カテーテルの第４の実施形態である。
【図５】図５は、本発明による外部泌尿器カテーテルの第５の実施形態である。
【図６】図６は、本発明による外部泌尿器カテーテルの第６の実施形態である。
【図１】
2008511360.tif 000003
【図２】
2008511360.tif 000004
【図３】
2008511360.tif 000005
【図４】
2008511360.tif 000006
【図５】
2008511360.tif 000007
【図６】
2008511360.tif 000008
【国際調査報告】
2008511360.tif 000009
2008511360.tif 000010
2008511360.tif 000011